(57)【要約】大容量ラジアルフィット結合ボルト（又は大容量拡張スリーブボルト）は、テンション負荷が印加されるボルトの軸周りに一対のテーパ状のスリーブを有する。押出リング又は圧縮リングは、軸の一端におけるヘッドナット又はヘッドフランジ及び前記内側スリーブの一端との間に介在する。テンション負荷は、軸、外側スリーブを直径方向に拡張させる内側スリーブに印加される。設定限界において、押出リングは、軸が内側スリーブに対して移動可能となるように、テンション負荷が完全に印加されるまで、ヘッドナット及び押出リング間の駆動ピストンにおける少なくとも一つの穴を通じて押し出される。あるいは、駆動部材は、ヘッドナット及びヘッドフランジ間に設けられ、圧縮リングはテンション負荷が完全に印加されるまで、軸が内側スリーブに対して移動可能となる。
2015515583.tif 000002
【特許請求の範囲】
【請求項１】
少なくとも二つの部品を固定するための大容量ラジアルフィット結合ボルト組立体又は大容量拡張スリーブボルト組立体において、
前記組立体は、
第１及び第２の端部の中間に位置する円筒形の中央部を有する軸と、
前記軸の前記中央部の少なくとも一部を取り囲むそれぞれの内側及び外側スリーブと、
前記内側及び外側スリーブがそれぞれ相補的な内側及び外側テーパ係合面を有することと、
前記内側スリーブの第１の端部と、前記軸の第１の端部における又は前記第１の端部に隣接する駆動ピストンとの間に介在する押出リングと、
前記駆動ピストンが前記押出リングへ開口する少なくとも一つの軸穴を有することと、
を含み、
テンション負荷が漸次的に前記軸の前記第２の端部に印加されるとき、前記内側及び外側スリーブ間の相対的軸運動は、前記外側スリーブを直径方向に、前記少なくとも２つの部品を最大で設定限界まで係合するように拡張させ、そのとき前記押出リングは、少なくとも一つの軸穴を通じて、少なくとも部分的に押し出され、それにより、前記少なくとも２つの部品に対して前記外側スリーブを移動させることなく前記軸が移動可能となるように形成される組立体。
【請求項２】
請求項１に記載の組立体において、
前記第１の端部は、一体型ヘッドフランジ又はヘッドナットを受容するためねじが形成されており、
前記ヘッドフランジ又はヘッドナットは、前記部品の一つの端部上の当接面に係合可能である組立体。
【請求項３】
請求項２に記載の組立体において、
前記ヘッドフランジ又はヘッドナットは、第１の環状キャビティ内に延びる環状リング部を有し、
前記第１の環状キャビティは、ヘッド部材の外側環状面、前記内側スリーブの第１の端部に係合する前記ヘッド部材の内面に係合するため、前記一つの部品におけるボルト孔及び前記軸の第１の端部によって規定される組立体。
【請求項４】
請求項１〜３のいずれか一項に記載の組立体において、
前記軸の前記第２の端部は、解放可能にテンション装置によって係合されるように、ねじ切りされ、又はねじが形成され、
前記テンション装置又は前記第２の端部上のテンションナットは、前記外側スリーブの外側環状端面に係合可能である組立体。
【請求項５】
請求項１〜４のいずれか一項に記載の組立体において、
前記外側スリーブは、前記第２の部品に係合する環状内面を備えた環状の外面を形成する周縁フランジを有する組立体。
【請求項６】
請求項１〜５のいずれか一項に記載の組立体において、
前記内側スリーブは、前記軸の前記中央部において摺動可能とするため円筒状穴を備えた本体を有し、
前記本体の第１の端部における周縁フランジは、摺動可能に第１の部品のボルト穴内に受け入れられ、前記押出リングによって係合する一端において環状当接面を提供可能である組立体。
【請求項７】
請求項１〜６のいずれか一項に記載の組立体において、
前記内側スリーブの外側テーパ係合面及び前記外側スリーブの内側テーパ係合面は、前記ボルト組立体の長手方向軸に対して比較的浅い角度で傾斜し、
前記傾斜角は好ましくは１０°未満であり、より好ましくは７．５°未満であり、最も好ましくは０．５°〜５°の範囲内である組立体。
【請求項８】
請求項１〜７のいずれか一項に記載の組立体において、
前記内側及び外側スリーブは、テンションを印加する前に、前記ボルト組立体を挿入可能にするための前記外側スリーブと前記少なくとも二つの部品において整列されたボルト穴のセットとの間の作業クリアランスを埋めるように前記外側スリーブを直径方向に十分に拡張可能にするべく、比較的薄い壁厚を有する少なくとも前記外側スリーブとともに金属又は合金から製造され、
前記テンションを印加する前の作業クリアランスは、０．５ｍｍ、好ましくは０．３ｍｍを超えないように設定される組立体。
【請求項９】
請求項１〜８のいずれか一項に記載の組立体において、
グリース、グラファイト又は他の適切な潤滑剤は、前記ボルト組立体にテンションが印加され、解放されたとき、内側及び外側スリーブ間の相対的な軸方向移動を支援するため、前記ボルト組立体が組み立てられる前に前記テーパ係合面の少なくとも一つに塗布される組立体。
【請求項１０】
請求項１〜９のいずれか一項に記載の組立体において、
前記軸、前記駆動ピストン、前記ヘッド及びテールナットは、高テンション鋼から製造される組立体。
【請求項１１】
請求項１〜１０のいずれか一項に記載の組立体において、
前記外側スリーブは、摺動可能に第２の部品のボルト穴に受け入れられる円筒状外面を備える本体を有する組立体。
【請求項１２】
請求項１〜１１のいずれか一項に記載の組立体において、
前記駆動ピストンは、複数の等間隔の軸方向を通る軸穴を有する組立体。
【請求項１３】
請求項１〜１２のいずれか一項に記載の組立体において、
前記押出リングは、ゴム（天然及び合成の少なくとも一方）、ポリエチレン、ポリプロピレンのようなポリマーのような流動性材料、鉛、スズ、アルミニウム又は合金のような軟質材料、青銅のような硬質材料又はその他適切な流動性材料から製造される組立体。
【請求項１４】
整列されたボルト穴の少なくとも一つのセットを有する少なくとも２つの部品を固定する方法であって、
（ａ）請求項１〜１３のいずれか一項に記載の大容量ラジアルフィット結合ボルト組立体を、第１の部品の端面（及び、選択的に、第１の部品のボルト孔において受け入れられるヘッドフランジ又はヘッドナット上の環状端部）から選択的に小さい距離だけ離間する内面を有するヘッドフランジ又はヘッドナットとともに前記整列されたボルト穴の一つのセットに挿入する工程と、
（ｂ）前記外側スリーブ内に前記内側スリーブを軸方向に引き入れるため、前記軸の前記第２の端部にテンション荷重を印加する工程と、
（ｃ）前記外側スリーブの前記内側テーパ係合面と前記内側スリーブ上の前記外側テーパ係合面との間の係合が前記外側スリーブの円筒外面を前記部品におけるボルト穴の一つのセットに係合するように直径方向に拡張させる工程と、
（ｄ）前記テンション負荷がさらに設定限界を超えて増加するとき、前記押出リングは、前記軸が前記内側スリーブ（及びそれにより前記部品）に対して移動可能となるように、前記ヘッドフランジ又はヘッドナットが前記第１の部品に係合され、所望のテンション負荷が前記少なくとも二つの部品が一つに固定されるように前記軸に印加されるまで、前記駆動ピストンにおける少なくとも一つの軸穴を通じて少なくとも部分的に押し出される工程と、を含む方法。
【請求項１５】
請求項１４に記載の方法において、
前記工程（ｄ）の後、
（ｅ）前記軸の前記第２の端部からのテンション装置の解放前に、テンションナットが前記軸の第２の端部上に螺合され、かつ回転可能にそこに沿って第２の部品とともにテンションが印加されて係合するように移動し、前記テンションナットが前記軸の前記第２端部と前記テンション装置との間の接続において、その内側で前記軸の前記第２の端部に受け入れられる工程を含む方法。
【請求項１６】
請求項１４に記載の方法において、
前記工程（ｄ）の後、
（ｅ）テンション装置として動作し、前記第２の部品に係合する油圧ナットは、前記外側スリーブの所望の拡張及び前記軸内のテンション負荷の少なくとも何れか一方が達成されたとき油圧用作動油の供給源から分離される方法を含む方法。
【請求項１７】
少なくとも二つの部品を固定するための大容量ラジアルフィット結合ボルト組立体又は大容量拡張スリーブボルト組立体において、
前記組立体は、
第１及び第２の端部の中間に位置する円筒形の中央部を有する軸と、
前記軸の前記中央部の少なくとも一部を取り囲むそれぞれの内側及び外側スリーブと、
前記内側及び外側スリーブが、それぞれ相補的な内側及び外側テーパ係合面を有することと、
前記内側スリーブの第１の端部と、前記軸の第１の端部における又は前記第１の端部に隣接する駆動ピストンとの間に介在する圧縮リングと、
テンション負荷が漸次的に前記軸の第２の端部に印加されるとき、内側及び外側スリーブ間の相対的軸運動は、前記外側スリーブを直径方向に、前記少なくとも２つの部品を最大で設定限界まで係合するように拡張させ、そのとき前記圧縮リングは、前記少なくとも２つの部品に対して、内側及び外側スリーブに対して前記軸が移動可能となるように形成される組立体。
【請求項１８】
請求項１７に記載の組立体において、
前記テンション負荷が最初に前記軸の前記第２の端部に印加されるとき、前記軸を内側スリーブに対して移動可能とし、それによって、テンション負荷が軸の全長に沿って印加されることを可能にしつつ、前記圧縮リングが前記外側スリーブを直径方向に拡張するため、前記外側スリーブに対して軸方向に前記内側スリーブを移動させる組立体。
【請求項１９】
請求項１７又は１８に記載の組立体において、
前記第１の端部は一体型ヘッドフランジとともに形成され、又はヘッドナットを受容するためねじが形成され、
前記ヘッドフランジ又はヘッドナットは、前記部品の一つの端部上の当接面に係合可能である組立体。
【請求項２０】
請求項１９に記載の組立体において、
前記ヘッドフランジ又はヘッドナットは、第１の環状キャビティ内に延びる環状リング部を有し、前記第１の環状キャビティは、駆動部材の外側環状面、前記圧縮リングに係合する前記駆動部材の内面に係合するため、前記一つの部品及び前記軸の第１の端部におけるボルト孔によって規定される組立体。
【請求項２１】
請求項１９に記載の組立体において、
前記駆動部材は、前記ヘッドフランジ又はヘッドナットの環状リング部から離間する前記駆動部材の外側環状面とともに前記軸にスクリューねじにより螺合され、前記駆動部材の内面が前記圧縮リングに係合する組立体。
【請求項２２】
請求項１７〜２１のいずれか一項に記載の組立体において、
前記軸の前記第２の端部は、解放可能にテンション装置によって係合されるように、ねじ切りされ、又はねじが形成され、
前記テンション装置又は前記第２の端部上のテンションナットは、前記外側スリーブの外側環状端面に係合可能である組立体。
【請求項２３】
請求項１７〜２２のいずれか一項に記載の組立体において、
前記外側スリーブは、前記第２の部品に係合する環状内面を備えた環状外面を形成する周縁フランジを有する組立体。
【請求項２４】
請求項１７〜２３のいずれか一項に記載の組立体において、
前記内側スリーブは、前記軸の前記中央部において摺動可能とするため円形状穴を備えた本体を有し、
前記本体の第１の端部における周縁フランジは、摺動可能に第１の部品のボルト穴内に受け入れられ、前記圧縮リングによって係合する一端において環状当接面を提供する組立体。
【請求項２５】
請求項１７〜２４のいずれか一項に記載の組立体において、
前記圧縮リングは、内側スリーブの一端に係合する発散内面及び前記駆動部材の内面と係合する外周縁面を有する円錐台形のばね座金や皿ばね座金である組立体。
【請求項２６】
請求項１７〜２５のいずれか一項に記載の組立体において、
前記内側スリーブの外側テーパ係合面及び前記外側スリーブの内側テーパ係合面は、前記ボルト組立体の長手方向軸に対して比較的浅い角度で傾斜し、
前記傾斜角は好ましくは１０°未満であり、より好ましくは７．５°未満であり、最も好ましくは０．５°〜５°の範囲内である組立体。
【請求項２７】
請求項１７〜２６のいずれか一項に記載の組立体において、
前記内側及び外側スリーブは、テンションを印加する前に、前記ボルト組立体を挿入可能にするための前記外側スリーブと前記少なくとも二つの部品において整列されたボルト穴のセットとの間の作業クリアランスを埋めるように前記外側スリーブを直径方向に十分に拡張可能にするべく、比較的薄い壁厚を有する少なくとも外側スリーブとともに金属又は合金から製造され、
前記テンションを印加する前の作業クリアランスは、０．５ｍｍ、好ましくは０．３ｍｍを超えないように設定される組立体。
【請求項２８】
請求項１７〜２７のいずれか一項に記載の組立体において、
グリース、グラファイト又は他の適切な潤滑剤は、前記ボルト組立体にテンションが印加され、解放されたとき、内側及び外側スリーブ間の相対的な軸方向移動を支援するため、前記ボルト組立体が組み立てられる前に前記テーパ係合面の少なくとも一つに塗布される組立体。
【請求項２９】
請求項１７〜２８のいずれか一項に記載の組立体において、
前記軸、前記駆動ピストン、前記ヘッド及びテールナットは、高テンション鋼から製造され、前記圧縮リングはばね鋼から製造される組立体。
【請求項３０】
請求項１７に記載の組立体において、
前記外側スリーブは、摺動可能に第２の部品のボルト穴に受け入れられる円筒状外面を備える本体を有する組立体。
【請求項３１】
整列されたボルト穴の少なくとも一つのセットを有する少なくとも２つの部品を固定する方法であって、
（ａ）請求項１７〜３０のいずれか一項に記載の大容量ラジアルフィット結合ボルト組立体を、第１の部品の端面（及び、選択的に、第１の部品のボルト孔において受け入れられるヘッドフランジ又はヘッドナット上の環状端部）から選択的に小さい距離だけ離間する内面を有するヘッドフランジ又はヘッドナットとともに前記整列されたボルト穴の一つのセットに挿入する工程と、
（ｂ）前記外側スリーブ内に前記内側スリーブを軸方向に引き入れるため、前記軸の前記第２の端部にテンション荷重を印加する工程と、
（ｃ）前記外側スリーブの前記内側テーパ係合面と前記内側スリーブ上の前記外側テーパ係合面との間の係合が前記外側スリーブの前記円筒外面を前記部品におけるボルト穴の一つのセットに係合するように直径方向に拡張させる工程と、
（ｄ）前記テンション負荷がさらに設定限界を超えて増加するとき、前記圧縮リングは、内側及び外側スリーブに対して、少なくとも前記部品に前記軸を移動させる工程と、を含む方法。
【請求項３２】
請求項３１に記載の方法において、
前記工程（ｂ）中において、前記圧縮リングは、前記軸を前記内側スリーブに対して移動可能とし、それによって、テンション負荷が軸の全長に沿って印加されることを可能にしつつ、前記少なくとも二つの部品を固定するように前記外側スリーブを直径方向に拡張させるため、前記外側スリーブに対して前記内側スリーブを移動させる方法。
【請求項３３】
請求項３０に記載の方法において、
前記工程（ｄ）の後、
（ｅ）前記軸の前記第２の端部からのテンション装置の解放前に、テンションナットが前記軸の第２の端部上に螺合され、かつ回転可能にそこに沿って第２の部品とともにテンションが印加されて係合するように移動し、前記テンションナットが前記軸の前記第２端部と前記テンション装置との間の接続において、その内側で前記軸の前記第２の端部に受け入れられる工程を含む方法。
【請求項３４】
請求項３１に記載の方法において、
前記工程（ｄ）の後、
（ｅ）前記テンション装置として動作し、前記第２の部品に係合する油圧ナットは、前記外側スリーブの所望の拡張及び前記軸内のテンション負荷の少なくとも何れか一方が達成されたとき油圧用作動油の供給源から分離される方法を含む方法。
【発明の詳細な説明】
【技術分野】
【０００１】
この発明は、大容量ラジアルフィット結合ボルト（この種のボルトは拡張スリーブボルトとしても知られている）に関する。
本発明は、特に、工学的部品を強固に連結して固定するために使用される大容量ラジアルフィット結合ボルトに関連する。ボルトの潜在的な用途の例としては、パイプラインの連結フランジ、駆動結合、機械的取り付け等が挙げられる。
【背景技術】
【０００２】
以下の説明は、背景情報のみを目的として示されており、技術の分野における共通の一般知識として考えられるべきではない。
動力伝達シャフト用の駆動結合の仕様を確立するときに、技術者は、（ａ）結合の直径、（ｂ）はパワースループット及び（ｃ）ボルトサイズ、周波数及び引張荷重要件を予測するため使用される材料、の要因を考慮して必要とされるボルトの大きさを計算する。動力伝達は、理想的には対向する結合面間の摩擦グリップを介して行われるが、一般的には通常動作中にボルト軸に対して加えられるせん断力に対する抵抗を検討する。せん断力は、振動、滑り及び／又はボルトテンションの不足を結果として発生させるおそれがあり、それぞれボルト軸に対して結合ボルト穴が干渉して場合によっては分解が極めて困難となるように、これらの構成要素を損傷及び変形させる。全てのボルトにおける特定のボルトテンションの印加及び維持が、駆動結合の有効性の維持に不可欠であることが分かる。また、ボルト軸と駆動結合におけるその各ボルト孔との間の公差によって形成される隙間を充填するために半径方向に拡張することができるボルトは結合面の任意の滑りの制限を助けることが分かる。
【０００３】
この数年は、この機能を有するボルトを採用することが一般的になっている。現在使用されるタイプは一般に「ラジアルフィット結合ボルト」と呼ばれ、ボルト部品は、各端部にスクリューねじ部を有する軸の中央部における拡張されたテーパ部を有して製造される。ボルトのテーパ部は、クランプするため駆動結合部品で整列したボルト穴の位置に置かれたときに、直径方向に軸のテーパ部の動作によりテーパスリーブ内に拡張される相補的形状テーパスリーブ内に受け入れられる。この拡径は、スリーブが完全に結合部品を介してボルト穴を埋めるまで、加えられた力に応じて継続する。
【発明の概要】
【発明が解決しようとする課題】
【０００４】
典型的には、このようなボルトにおいて、スリーブの内面及び軸部の中央部の外部テーパ面は、非常に微細な仕上がりで製造されなければならず、これら面が研磨される必要がある。また、「トラック」は、軸の中央部のテーパ面において機械加工されてもよい。内側テーパは、外部スリーブ内においてロックされ、スリーブの分解を可能にするべくボルトを吐出させる圧力下において油の注入を必要とするため取り外しが困難になる。そして、スリーブが直径方向に拡張されるとき、「トラック」を覆う部分が同程度に膨張しない。ボルトにより固定される部品が解放されるとき、スリーブは、中央部分の周りで引っ掛かり、部品内における整列されたボルト穴との比較的高い摩擦係合において維持されるおそれがあり、ボルトをボルト穴から解放するためには、例えば、プレス機によって印加されるような相当な力が要求される。
【０００５】
これらの既知のボルトの製造業者は、（結合部品の一つに係合するように）バックナットがボルト軸の一端部におけるスクリューねじ部に適合することを推奨し、テンション負荷をボルト軸の他端に印加し、スリーブの所望の拡張が達成されたとき、テンションが印加された軸の他端は、第２の結合部品に係合するナットが締め付けられることによって、所定の位置でロックされる。
【０００６】
このような設計は、スリーブの元の設定は付着摩擦を通じて所定の位置にボルトをロックするという明確な欠点を示す。このように、ボルトが所定の位置でバックナットとともに引っ張られたとき、印加される微小な引張荷重は、その反対側の端部にテンションを印加し、バックナットをロックするために軸のテーパ部を越えて移行する。これは、その端部から軸を締めることによって是正することができるが、スリーブの拡径を促す「設定」力を低下させる。
【０００７】
この発明の目的は、従来技術の問題を解決又は改善するための大容量ラジアルフィット結合ボルト又は大容量拡張スリーブボルトの設計を提供することにある。
その他の好ましい本発明の目的は、以下の明細書から明らかになる。
【課題を解決するための手段】
【０００８】
本発明の第１の態様においては、少なくとも二つの部品を固定するための大容量ラジアルフィット結合ボルト組立体又は大容量拡張スリーブボルト組立体において、前記組立体は、第１及び第２の端部の中間に位置する円筒形の中央部を有する軸と、前記軸の前記中央部の少なくとも一部を取り囲むそれぞれの内側及び外側スリーブと、前記内側及び外側スリーブがそれぞれ相補的な内側及び外側テーパ係合面を有することと、前記内側スリーブの第１の端部と、前記軸の第１の端部における又は前記第１の端部に隣接する駆動ピストンとの間に介在する押出リングと、前記駆動ピストンが前記押出リングへ開口する少なくとも一つの軸穴を有することと、を含み、テンション負荷が漸次的に前記軸の前記第２の端部に印加されるとき、前記内側及び外側スリーブ間の相対的軸運動は、前記外側スリーブを直径方向に、前記少なくとも２つの部品を最大で設定限界まで係合するように拡張させ、そのとき前記押出リングは、少なくとも一つの軸穴を通じて、少なくとも部分的に押し出され、それにより、前記少なくとも２つの部品に対して前記外側スリーブを移動させることなく前記軸が移動可能となるように形成される。
【０００９】
第２の態様においては、少なくとも二つの部品を一つに固定するための大容量ラジアルフィット結合ボルト組立体又は大容量拡張スリーブボルト組立体において、前記組立体は、第１及び第２の端部の中間に位置する円筒形の中央部を有する軸と、前記軸の前記中央部の少なくとも一部を取り囲むそれぞれの内側及び外側スリーブと、前記内側及び外側スリーブが、それぞれ相補的な内側及び外側テーパ係合面を有することと、前記内側スリーブの第１の端部と、前記軸の第１の端部における又は前記第１の端部に隣接する駆動ピストンとの間に介在する圧縮リングと、テンション負荷が漸次的に前記軸の第２の端部に印加されるとき、内側及び外側スリーブ間の相対的軸運動は、前記外側スリーブを直径方向に、前記少なくとも２つの部品を最大で設定限界まで係合するように拡張させ、そのとき前記圧縮リングは、前記少なくとも２つの部品に対して、内側及び外側スリーブに対して前記軸が移動可能となるように形成される。
【００１０】
好ましくは、前記テンション負荷が最初に前記軸の前記第２の端部に印加されるとき、前記軸を内側スリーブに対して移動可能とし、それによって、テンション負荷が軸の全長に沿って印加されることを可能にしつつ、前記圧縮リングが前記外側スリーブを直径方向に拡張するため、前記外側スリーブに対して軸方向に前記内側スリーブを移動させる。
【００１１】
好ましくは、前記第１の端部は一体型ヘッドフランジとともに形成され、又はヘッドナットを受容するためねじが形成され、前記ヘッドフランジ又はヘッドナットは、前記部品の一つの端部上の当接面に係合可能である。
【００１２】
好ましくは、前記ヘッドフランジ又はヘッドナットは、第１の環状キャビティ内に延びる環状リング部を有し、前記第１の環状キャビティは、前記ヘッド部材の外側環状面、前記内側スリーブの第１の端部に係合する前記ヘッド部材の内面に係合するため、前記一つの部品におけるボルト孔及び前記軸の第１の端部によって規定される。
【００１３】
好ましくは、前記軸の前記第２の端部は、解放可能にテンション装置によって係合されるように、ねじ切りされ、又はねじが形成され、前記テンション装置又は前記第２の端部上のテンションナットは、前記外側スリーブの外側環状端面に係合可能である。
【００１４】
好ましくは、前記外側スリーブは、前記第２の部品に係合する環状内面を備えた環状の外面を形成する周縁フランジを有する。
好ましくは、前記内側スリーブは、前記軸の前記中央部において摺動可能とするため円筒状穴を備えた本体を有する。好ましくは、前記本体の第１の端部における周縁フランジは、摺動可能に第１の部品のボルト穴内に受け入れられ、前記押出リングにおいて係合する一端において環状当接面を提供する。
【００１５】
好ましくは、前記内側スリーブの外側テーパ係合面及び前記外側スリーブの内側テーパ係合面は、前記ボルト組立体の前記長手方向軸に対して比較的浅い角度で傾斜し、前記傾斜角は好ましくは１０°未満であり、より好ましくは７．５°未満であり、最も好ましくは０．５°〜５°の範囲内である。
【００１６】
好ましくは、前記内側及び外側スリーブは、テンションを印加する前に、前記ボルト組立体を挿入可能にするための前記外側スリーブと（前記少なくとも二つの部品において）整列されたボルト穴の前記セットとの間の作業クリアランスを埋めるように前記外側スリーブを直径方向に十分に拡張可能にするべく、比較的薄い壁厚を有する少なくとも前記外側スリーブを備えた金属又は合金から製造される。典型的には、前記テンションを印加する前の作業クリアランスは、０．５ｍｍ、好ましくは０．３ｍｍを超えないように設定される。
【００１７】
好ましくは、グリース、グラファイト又は他の適切な潤滑剤は、前記ボルト組立体にテンションが印加され、解放されたとき、内側及び外側スリーブ間の相対的な軸方向移動を支援するため、前記ボルト組立体が組み立てられる前に前記テーパ係合面の少なくとも一つに塗布される。
【００１８】
好ましくは、前記軸、前記駆動ピストン、前記ヘッド及びテールナットは、高テンション鋼から製造される。
好ましくは、前記外側スリーブは、摺動可能に第２の部品のボルト穴に受け入れられる円筒状外面を備える本体を有する。
【００１９】
好ましくは、前記駆動ピストンは、複数の等間隔の軸方向を通る軸穴を有する。
好ましくは、前記押出リングは、ゴム（天然及び合成の少なくとも一方）、ポリエチレン、ポリプロピレンのようなポリマーのような流動性材料、鉛、スズ、アルミニウム又は合金のような軟質材料、青銅のような硬質材料又はその他適切な流動性材料から製造される。
【００２０】
第３の態様において、整列されたボルト穴の少なくとも一つのセットを有する少なくとも２つの部品を固定する方法であって、（ａ）請求項１〜１３のいずれか一項に記載の大容量ラジアルフィット結合ボルト組立体を、第１の部品の端面（及び、選択的に、第１の部品のボルト孔において受け入れられるヘッドフランジ又はヘッドナット上の環状端部）から選択的に小さい距離だけ離間する内面を有するヘッドフランジ又はヘッドナットとともに前記整列されたボルト穴の一つのセットに挿入する工程と、（ｂ）前記外側スリーブ内に前記内側スリーブを軸方向に引き入れるため、前記軸の前記第２の端部にテンション荷重を印加する工程と、（ｃ）前記外側スリーブの前記内側テーパ係合面と前記内側スリーブ上の前記外側テーパ係合面との間の係合が前記外側スリーブの前記円筒外面を前記部品におけるボルト穴の一つのセットに係合するように直径方向に拡張させる工程と、（ｄ）前記テンション負荷がさらに設定限界を超えて増加するとき、前記押出リングは、前記軸が前記内側スリーブ（及びそれにより前記部品）に対して移動可能となるように、前記ヘッドフランジ又はヘッドナットが前記第１の部品に係合され、所望のテンション負荷が前記少なくとも二つの部品が一つに固定されるように前記軸に印加されるまで、前記駆動ピストンにおける少なくとも一つの軸穴を通じて少なくとも部分的に押し出される工程と、を含む。
【００２１】
第４の態様において、整列されたボルト穴の少なくとも一つのセットを有する少なくとも２つの部品を一つに固定する方法であって、（ａ）請求項１７〜３０のいずれか一項に記載の大容量ラジアルフィット結合ボルト組立体を、第１の部品の端面（及び、選択的に、第１の部品のボルト孔において受け入れられるヘッドフランジ又はヘッドナット上の環状端部）から選択的に小さい距離だけ離間する内面を有するヘッドフランジ又はヘッドナットとともに前記整列されたボルト穴の一つのセットに挿入する工程と、（ｂ）前記外側スリーブ内に前記内側スリーブを軸方向に引き入れるため、前記軸の前記第２の端部にテンション荷重を印加する工程と、（ｃ）前記外側スリーブの前記内側テーパ係合面と前記内側スリーブ上の前記外側テーパ係合面との間の係合が前記外側スリーブの前記円筒外面を前記部品におけるボルト穴の一つのセットに係合するように直径方向に拡張させる工程と、（ｄ）前記テンション負荷がさらに設定限界を超えて増加するとき、前記圧縮リングは、内側及び外側スリーブに対して、少なくとも前記部品に前記軸を移動させる工程と、を含む。
【００２２】
好ましくは、前記工程（ｂ）中において、前記圧縮リングは、前記軸を前記内側スリーブに対して移動可能とし、それによって、テンション負荷が軸の全長に沿って印加されることを可能にしつつ、前記少なくとも二つの部品を一つに固定するように前記外側スリーブを直径方向に拡張させるため、前記外側スリーブに対して前記内側スリーブを移動させる。
【００２３】
あるいは、前記工程（ｄ）の後、（ｅ）前記軸の前記第２の端部からの前記テンション装置の解放前に、テンションナットが前記軸の第２の端部上に螺合され、かつ回転可能にそこに沿って第２の部品にテンションが印加されて係合するように移動する工程を含む。（本実施形態では、前記テンションナットが内側に前記軸の前記第２端部と前記テンション装置との間の前記接続の前記軸の前記第２の端部に受け入れられる工程を含む。）
【図面の簡単な説明】
【００２４】
【図１】本発明の第１の実施形態の各結合ボルトに適合する複数の油圧ナットを用いた二つの駆動シャフトのフランジ間の結合組立体の等角図である。
【図２】結合組立体の部分断面等角図である。
【図３】ボルト軸へのテンション負荷の印加前における、第１の実施形態の結合ボルトを備えた結合組立体の側断面図である。
【図４】ボルト軸へのテンション負荷の印加前における、第２の実施形態の結合ボルトを備える二つの機械部品間の結合組立体の側断面図である。
【発明を実施するための形態】
【００２５】
当業者であれば、後述する本発明の実施形態はボルト軸上にせん断荷重を大きく印加可能に設計されていることを理解できる。本発明の結合ボルトは、非常に高い回転荷重を伝達するための駆動結合又は他のデバイスにおいて使用することができるだけでなく、大規模な機械（例えば、海洋液体又はガス燃料エンジン）、建物の柱や梁等のための固定ボルトのような器具に適応できる。
【００２６】
図１〜図３を参照すると、駆動結合組立体１００は、一対の駆動シャフト１０１，１０２のそれぞれのフランジ７を相互接続する。
以下に詳細に説明するように、結合組立体１００は、複数の結合ボルト１０を組み込み、本発明の第１の好ましい実施形態によれば、結合ボルト１０はフランジ７の周囲に等しい角度間隔で設けられるとともに、各油圧ナット８によってテンションが印加されている。
【００２７】
図３は、本発明の第１の実施形態を示し、各大容量ラジアルフィット結合ボルト（又は拡張スリーブ付きボルト）１０には、油圧ナット８、例えば、登録商標「TECHNOFAST」において、Technofast Industries Pty Ltd, ２/６７７ Boundary Road, Richlands, Queensland, Australiaによって製造販売されているタイプのものが設けられている。
【００２８】
連結ボルト１０は、ねじ切りされた第１及び第２の端部１２，１３の中間に位置する円筒状の中央部分１１を備える軸１を有する。
ヘッドナット５が軸１の第１端部１２に螺合され、その内面に環状端部５１を有する。ヘッドナット５上の環状端部５１が第１の部品７の第１のボルト孔７１及び軸１によって規定されたキャビティ内に受け入れられる。
【００２９】
内側スリーブ３は、軸１の中央部１１上における摺動のための円筒穴３２を備える管状本体３１を有する。軸１の第１端部１２に隣接する本体３１の端部において、周縁フランジ３３は第１の部品７のボルト孔７１に摺動可能に収容されるとともに、その外端に環状当接面３４を有している。
【００３０】
内側スリーブ３の本体３１は、軸１の長手方向軸に対してその面の傾斜角度が３°〜５°の範囲にある外側テーパ係合面３５を有している。
外側スリーブ２は、ボルト組立体１０にテンションが加えられる前に、第１及び第２の部品のボルト孔７１、７２との間に０．３ｍｍ〜０．５ｍｍの作業クリアランスを有する円筒状外面２２を備えた管状本体２１を有する。
【００３１】
軸１の第２の端部１３に隣接する本体２１の端部における周縁フランジ２３は、第２の部品７の隣接する面に係合可能な内側環状当接面２４、及び油圧ナット８の外部８１、軸１の第２の端部１３に螺合する油圧ナット８の内部８２によって係合可能な外側スリーブ２の本体２１上の外側当接面２５を有する。
【００３２】
外側スリーブ２の本体２１は、軸１に対して内側スリーブ３の外テーパ係合面３５と同じ角度に傾斜する内側テーパ係合面２６を有している。
駆動ピストン６は、自身に沿って延出する複数の等間隔配置軸穴６２を備えた複数の環状本体６１を有している。環状本体６１は、中央部分１１の端部に隣接する軸１の第１の端部１２に螺合されて締結されている。
【００３３】
管状本体４１を有する押出リング４は、内側スリーブ３上の環状当接面３４と駆動ピストン６の内側環状当接面６３との間に介在されている。本体４１の内穴は、摺動可能に軸１の中央部分１２に係合され、その外面は、外側スリーブ２の外周面２２にその位置が合わせされている。
【００３４】
ボルト組立体１０は、図３に示すように、整列したボルト孔７１，７２に組み付けられ、挿入されている。
当業者は、ヘッドナット５の内面は、第１の部品７の隣接面から離れ、内側スリーブ３上の周縁フランジ３３は、外側スリーブの本体２１の隣接する（内側）端部から離れていることに留意する。
【００３５】
油圧ナット８がチャージされたとき、油圧ナット８の内側部分８２は、ヘッドナット５上の環状の端部５１が駆動ピストン６と係合し、駆動ピストン６、押出リング４及び内側スリーブ３を、外側スリーブ２に向かって押圧するように、矢印Ａの方向に移動する。内側スリーブ３の各外側テーパ係合面３４と外側スリーブ２の内側テーパ係合面２６との摺動係合によって、直径方向に外側スリーブ２が部品７内の整列ボルト穴７１と係合するように拡張する。
【００３６】
所望のテンション負荷が油圧ナット８により軸１に印加されたとき、油圧ナット８は、テンション荷重下の油圧ナット８をロックするために圧力下にある油圧用作動油の供給源から分離することができる。
【００３７】
予め設定されたテンション負荷では、押出リング４の本体４１の流動性（flowable）材料は、駆動ピストン６の本体６１における軸穴６２を通じた流れ（変形）を開始する。これにより、ヘッドナット５の内面が第１の部品７の隣接面に係合し、かつ所望のテンション負荷が軸１の長さに沿って印加されるまで、駆動ピストン６及びヘッドナット５を矢印Ａの方向に移動させ続けることを可能とする。そして、内側及び外側スリーブ３，２間の更なる相対移動を制限する。
【００３８】
例えば、メンテナンスのために、結合部品７を分離する場合、油圧ナット８における油圧がボルト組立体１０のテンション負荷を軽減するために軸１を矢印Ａと反対方向に移動させることで解放させる。内側スリーブ３は、外側スリーブ２上の直径方向に印加された力を減少させるため、矢印Ａ方向と反対に移動する傾向がある。部品７からボルト組立体１０を解放するために軸１の端部１２を矢印Ａに移動可能とするため、軸１のナット５は、軸１の第１の端部１２から取り外される。
【００３９】
第２の実施形態では、図示しないが、テンション（又はテール）ナットは、外側スリーブ２とテンション装置（軸１の第２の端部１３に接続される）との間に介在されてもよい。この実施形態では、テンション装置は、本明細書中に記載のように、内側スリーブ３を軸方向に軸１の中心部１１に沿って移動させ、外側スリーブ２を直径方向に拡張するため軸１にテンション負荷を印加する。
【００４０】
所望のテンション負荷が印加されたとき、テンション（又はテール）ナットは、それが軸１上のテンション負荷を維持するために外側スリーブ２の外側当接面２６に係合するまで、矢印Ａの方向と反対方向に第２の端部１３に沿って移動するように回転される。テンション装置、例えば油圧ジャッキは、その後に取り外し可能である。
【００４１】
本実施形態において、部品７を分離可能とするべく、このテンション装置は軸１の第２の端部１３に再接続され、テンション（又はテール）ナットを外側スリーブ２との係合から回転可能に解放するため、テンション負荷が軸１に印加され、テンション装置は軸１の第２の端部１３から解放される。このヘッドナット５は、本明細書に記載されるように、ボルト組立体１０の取り外しを可能とするため、第１の端部１２から解放される。
【００４２】
本明細書中に記載の結合ボルト１０が摩擦係合している部品７の対向面間に相当なクランプ力を提供でき、部品７の相対回転に対して相当なせん断力に耐え及び対抗することができることは、当業者にとっては明らかである。
【００４３】
押出リング６の材料及び／又は寸法の選択は、外側スリーブ２及び内側スリーブ３は、ボルト組立体１０の意図する用途により決定される。好ましくは、外側スリーブ２は、軸１にテンションが加わるとき、内側スリーブ３１に力が加えられて外側スリーブ２の拡径を可能にするように金属又は金属合金の比較的薄い壁を有する。
【００４４】
押出リング４を製造するための材料は、ポリマー／プラスチック材料又は金属／金属合金等の広い範囲から選択することができる。本明細書中に上述したように、材料は、所望のテンション負荷が均等に軸１に沿って分布するように軸１に印加されるまで、押出リング４の本体４１が駆動ピストン６の本体６１における軸穴６２を通して流動（変形）し始め、それによって、軸１の部品７に対する移動の継続を可能とするテンション負荷の設定限界に応じて、ナイロンから、鉛、アルミニウムを通じてブロンズの範囲であってもよい。
【００４５】
図４は、本発明の第２実施形態の連結ボルト１１０を採用した一対の機械部品１０７（介在スペーサーＳ、及びガスケット又はシールＧを備える）間の第２の実施形態の結合組立体を示す。軸１０１、内側及び外側スリーブ１０２，１０３及びヘッドナット１０５は、図１〜図３の同一構成のための参照番号ｘｘに対応して参照番号１ｘｘによって実質的に上記明細書に記載した通りである。
【００４６】
第１の実施形態の駆動ピストン６は駆動部材１０６によって置き換えられる。この駆動ピストン６はヘッドナット１０５の環状端部１５１から離間した駆動部材１０６の外面１６１を備え、軸１０１に螺合するロックナットの形状である。
【００４７】
第１の実施形態の押出リング４は、実質的に円錐台形状、例えば皿ばねの形状における圧縮リング１０４によって置換されている。圧縮リング１０４の周縁外面１４２が駆動部材１０６の内面１６２に係合しつつ、圧縮リング１０４の発散内面１４１は、内側スリーブ１０３の端部上の当接面に係合する。
【００４８】
油圧テンショナ１０８がテンション負荷を印加するとき、圧縮リング１０４の発散面１４１は、外側スリーブ１０２に対して内側スリーブ１０３を軸方向に移動させて、外側スリーブ１０２を直径方向に拡張するため、内側スリーブ１０３に係合し、その間に、軸１０１が内側スリーブ１０３内で、その全長に亘ってテンションが印加された軸１０１のため移動可能とされる。また、軸１０１は、ヘッドナット１０５を隣接する部品１０７に係合するように引っ張る。これにより、テンション負荷を軸１０１の長さに沿って均一に印加することが可能となる。圧縮リング１０４の発散面１４１は内側スリーブ１０３を外側スリーブ１０２に係合するように直径方向に拡張させる。
【００４９】
テンション負荷が設定限界に達した際に、外側及び内側スリーブ１０２，１０３が完全に係合したとき、圧縮リング１０４は、軸１０１を外側及び内側スリーブ１０２，１０３に対して、すなわち、２つの部品１０７に対して移動させ、このボルトに対して均等なテンションをその全長に沿って印加させることを保証する。
【００５０】
軸１０１上のテンション負荷は、図１〜図３の第１の実施形態と同様の方法において、チャージされた油圧ジャッキ１０８によって維持することができ、ロックナット１０５は係合され、油圧ジャッキ１０８を取り除き、部品１０７が分離される。
【００５１】
押出リング４とは異なり、圧縮リング１０４は、再使用することができ、その機械的制限を超えないように提供される。
単一の皿ばねは、圧縮リング１０４として示されているが、２つ以上の皿ばね等は、ロックされたスリーブ２、３、１０２、１０３に対してボルト軸１，１０１のより大きな軸方向の動きを提供するように設けられていてもよい。
【００５２】
両実施形態においては、設定限界は部品７、１０７と係合する外側スリーブ２、１０２を拡張するのに必要な力に対応することになるが、他のそのような制限、例えば、上記軸の軸移動距離は、上記部品又は外側スリーブに関連する。
【００５３】
当業者は、本発明は結合ボルトをその以下の効果（但し限定されない）とともに提供することを理解可能である。
（ａ）上記結合ボルトは、製造及び／又は操作することがより簡単で、より費用対効果が高い。
【００５４】
（ｂ）上記結合ボルトは、スリーブの設定とボルトテンションの設定を単一の動作で可能にする「ワンプル」ボルト設計を提供する。
（ｃ）テンションが解放されたとき、ボルトはより容易に取り外すことができる。
【００５５】
様々な変更及び修正は、本発明から逸脱することなく、記載された及び例示した実施形態に対してなされ得る。
【図１】
2015515583.tif 000003
【図２】
2015515583.tif 000004
【図３】
2015515583.tif 000005
【図４】
2015515583.tif 000006
【国際調査報告】
2015515583.tif 000007
2015515583.tif 000008
2015515583.tif 000009